(57)【要約】【課題】ユーザの操作上の負担を軽減しつつ、投写面積がそれぞれ異なる複数の映像表示装置に適切な映像光を投写させる。【解決手段】プロジェクタ１０１ａは、光源２０１ａ〜２０１ｃと、センサ２０２ａ〜２０２ｃと、調整可能な駆動回路２０４ａ〜２０４ｃと、外部の制御装置１０２と通信可能に接続された制御部２０６とを備える。制御部２０６は、予め決められたテスト信号に応じて光源２０１ａ〜２０１ｃによって発生される光の強度をセンサ２０２ａ〜２０２ｃにより測定し、光の強度の測定値を制御装置１０２に送信する。制御部２０６は、複数の投写型映像表示装置によって投写される各映像の輝度が互いに一致するように制御装置１０２によって決定された光の強度の設定値を制御装置１０２から受信する。制御部２０６は、制御装置１０２によって決定された強度の光を発生させるように、駆動回路２０４ａ〜２０４ｃを動作させる。【選択図】図１
2019215383.tif 000002
【特許請求の範囲】
【請求項１】
少なくとも１つの投写面に映像をそれぞれ投写する複数の投写型映像表示装置を含むマルチ投写システムのための投写型映像表示装置において、
前記投写型映像表示装置は、
少なくとも１つの光源と、
前記少なくとも１つの光源によって発生される光の強度を測定する少なくとも１つのセンサと、
前記少なくとも１つの光源を可変な強度で動作させる調整可能な少なくとも１つの駆動回路と、
外部の制御装置と通信可能に接続された制御部とを備え、
前記制御部は、
予め決められたテスト信号に応じて前記少なくとも１つの光源によって発生される光の強度を前記少なくとも１つのセンサにより測定し、前記光の強度の測定値を前記制御装置に送信し、
前記複数の投写型映像表示装置によって投写される各映像の輝度が互いに一致するように前記制御装置によって決定された光の強度の設定値を前記制御装置から受信し、
前記制御装置によって決定された強度の光を発生させるように、前記少なくとも１つの駆動回路を動作させる、
投写型映像表示装置。
【請求項２】
前記少なくとも１つのセンサは、前記少なくとも１つの光源によって発生される光の色度をさらに測定し、
前記制御部は、
予め決められたテスト信号に応じて前記少なくとも１つの光源によって発生される光の強度及び色度を前記少なくとも１つのセンサにより測定し、前記光の強度及び色度の測定値を前記制御装置に送信し、
前記複数の投写型映像表示装置によって投写される各映像の輝度及び色度が互いに一致するように前記制御装置によって決定された光の強度の設定値を前記制御装置から受信し、
前記制御装置によって決定された強度の光を発生させるように、前記少なくとも１つの駆動回路を動作させる、
請求項１記載の投写型映像表示装置。
【請求項３】
少なくとも１つの投写面に映像をそれぞれ投写する複数の投写型映像表示装置を含むマルチ投写システムのための制御装置において、
前記複数の投写型映像表示装置のうちの各１つの投写型映像表示装置は、
少なくとも１つの光源と、
前記少なくとも１つの光源によって発生される光の強度を測定する少なくとも１つのセンサと、
前記少なくとも１つの光源を可変な強度で動作させる調整可能な少なくとも１つの駆動回路とを備え、
前記制御装置は、前記複数の投写型映像表示装置に通信可能に接続され、
前記制御装置は、
前記複数の投写型映像表示装置から、予め決められたテスト信号に応じて前記少なくとも１つの光源によって発生される光の強度の測定値をそれぞれ受信し、
前記複数の投写型映像表示装置によって投写される各映像の輝度が互いに一致するように、前記各投写型映像表示装置の前記各光源によって発生される光の強度を決定し、
前記決定された光の強度の設定値を前記複数の投写型映像表示装置に送信する、
制御装置。
【請求項４】
前記制御装置は、
前記複数の投写型映像表示装置のうちの各１つの投写型映像表示装置について、当該１つの投写型映像表示装置の投写面積に対する当該１つの投写型映像表示装置の前記光の強度の測定値の比に基づいて、当該１つの投写型映像表示装置によって投写される映像の輝度の推定値を計算し、
前記複数の投写型映像表示装置によって投写される各映像の輝度の推定値が互いに一致するように、前記各投写型映像表示装置の前記各光源によって発生される光の強度を決定する、
請求項３記載の制御装置。
【請求項５】
前記制御装置は、前記複数の投写型映像表示装置によって投写される映像の輝度の推定値が前記複数の投写型映像表示装置の推定値のうちの最低値に一致するように、前記各投写型映像表示装置の前記各光源によって発生される光の強度を決定する、
請求項４記載の制御装置。
【請求項６】
前記複数の投写型映像表示装置のうちの各１つの投写型映像表示装置は、
互いに異なる色の光をそれぞれ発生する複数の光源と、
前記複数の光源によって発生される光の強度を測定する複数のセンサと、
前記複数の光源を可変な強度で動作させる調整可能な複数の駆動回路とを備え、
前記制御装置は、前記互いに異なる色のそれぞれについて個別に、前記複数の投写型映像表示装置によって投写される各映像の輝度が互いに一致するように、前記各投写型映像表示装置の前記各光源によって発生される光の強度を決定する、
請求項３〜５のうちの１つに記載の制御装置。
【請求項７】
前記制御装置は、前記複数の投写型映像表示装置によって投写される各映像の輝度が互いに一致するように、前記各投写型映像表示装置の前記複数の光源を同時に発光させて発生される光の強度を決定する、
請求項６記載の制御装置。
【請求項８】
前記複数の投写型映像表示装置のうちの各１つの投写型映像表示装置において、前記少なくとも１つのセンサは、前記少なくとも１つの光源によって発生される光の色度をさらに測定し、
前記制御装置は、
前記複数の投写型映像表示装置から、予め決められたテスト信号に応じて前記少なくとも１つの光源によって発生される光の強度及び色度の測定値をそれぞれ受信し、
前記複数の投写型映像表示装置によって投写される各映像の輝度及び色度が互いに一致するように、前記各投写型映像表示装置の前記各光源によって発生される光の強度を決定し、
前記決定された光の強度の設定値を前記複数の投写型映像表示装置に送信する、
請求項３〜７のうちの１つに記載の制御装置。
【請求項９】
請求項１記載の複数の投写型映像表示装置と、
請求項３〜７のうちの１つに記載の制御装置とを含む、
マルチ投写システム。
【請求項１０】
請求項２記載の複数の投写型映像表示装置と、
請求項８記載の制御装置とを含む、
マルチ投写システム。
【請求項１１】
前記制御装置は、前記複数の投写型映像表示装置のうちの１つに一体化されている、
請求項９又は１０記載のマルチ投写システム。
【発明の詳細な説明】
【技術分野】
【０００１】
本開示は、複数の投写型映像表示装置を含むマルチ投写システムに関する。本開示はまた、そのようなマルチ投写システムのための投写型映像表示装置及び制御装置に関する。
【背景技術】
【０００２】
多数の人々が集まるイベントなどでは、遠くからでも映像を視認できるように巨大な表示装置が必要とされる。このため、複数の映像表示装置を組み合わせてこれらの映像表示装置の画面を同一平面上で互いに密着して配置することにより、全体を１つの大画面として見せたり、建物の壁などに投写したりするマルチ画面表示システムが用いられることがある。
【０００３】
このようなマルチ画面表示システムでは、投写型映像表示装置（プロジェクタ）などが用いられることが多い。
【０００４】
マルチ画面表示システムでは、各映像表示装置によって表示される映像間で輝度又は色度が違う場合、各映像表示装置の映像のつなぎ目がはっきりと見てとれるので、できるだけ各映像表示装置によって表示される映像間で輝度及び色度を合わせることが望ましい。
【０００５】
特許文献１は、複数の画像表示装置を組み合わせてマルチ画面表示装置を構成した場合に、それぞれの映像表示装置間でつなぎ目の目立たないマルチ画面表示装置およびマルチ画面表示装置の表示画像の調整方法を開示する。この表示装置は、複数のプロジェクタ及び制御装置から構成され、制御装置がプロジェクタの輝度及び色度を定期的に監視し、プロジェクタの光源の強度を調整することにより、つなぎ目の目立たないマルチ画面表示を実現できる。
【先行技術文献】
【特許文献】
【０００６】
【特許文献１】特許第５０５５９９７号公報
【発明の概要】
【発明が解決しようとする課題】
【０００７】
投写型映像表示装置の投写対象物が単一の平坦な投写面ではなく、建物の壁など、不揃いな形状を有する複数の部分からなり、各部分の投写面積がそれぞれ異なる場合がある。この場合、特許文献１の技術では、複数の映像表示装置の光源の強度が互いに一致していても、投写対象物上の照度に差が生じ、投写対象物の部分間で映像のつなぎ目が見えることがある。映像のつなぎ目を目立たなくするためには、各映像表示装置で表示される映像を見ながら、映像の輝度及び色度を手作業で調整する必要がある。従って、この調整を行うためのユーザの操作上の負担を軽減することが求められる。
【０００８】
本開示は、複数の投写型映像表示装置を含むマルチ投写システムのための投写型映像表示装置であって、ユーザの操作上の負担を軽減しつつ、投写面積がそれぞれ異なる複数の投写型映像表示装置に適切な映像光を投写させるために有効な投写型映像表示装置を提供する。本開示はまた、そのようなマルチ投写システムのための制御装置に関する。本開示はまた、そのような複数の投写型映像表示装置及び制御装置を含むマルチ投写システムに関する。
【課題を解決するための手段】
【０００９】
本開示の一態様に係る投写型映像表示装置は、少なくとも１つの投写面に映像をそれぞれ投写する複数の投写型映像表示装置を含むマルチ投写システムのための投写型映像表示装置である。投写型映像表示装置は、少なくとも１つの光源と、少なくとも１つの光源によって発生される光の強度を測定する少なくとも１つのセンサと、少なくとも１つの光源を可変な強度で動作させる調整可能な少なくとも１つの駆動回路と、外部の制御装置と通信可能に接続された制御部とを備える。制御部は、予め決められたテスト信号に応じて少なくとも１つの光源によって発生される光の強度を少なくとも１つのセンサにより測定し、光の強度の測定値を制御装置に送信する。制御部は、複数の投写型映像表示装置によって投写される各映像の輝度が互いに一致するように制御装置によって決定された光の強度の設定値を制御装置から受信する。制御部は、制御装置によって決定された強度の光を発生させるように、少なくとも１つの駆動回路を動作させる。
【発明の効果】
【００１０】
本開示は、ユーザの操作上の負担を軽減しつつ、投写面積がそれぞれ異なる複数の投写型映像表示装置に適切な映像光を投写させるために有効な投写型映像表示装置を提供することができる。
【図面の簡単な説明】
【００１１】
【図１】実施形態に係るマルチ投写システムの第１の実施例を示す概略図である。
【図２】実施形態に係るマルチ投写システムの第２の実施例を示す概略図である。
【図３】図１のプロジェクタ１０１ａの構成を示すブロック図である。
【図４】図１の制御装置１０２の構成を示すブロック図である。
【図５】図１のマルチ投写システムにおける各光源の発光強度と映像信号との関係を説明するタイミングチャートである。
【図６】図１のマルチ投写システムにおける２つのプロジェクタの設置時の色度と目標の色度とを示すｘｙ色度図である。
【図７】図１のマルチ投写システムの動作を示すフローチャートである。
【図８】実施形態の第１の変形例に係るマルチ投写システムを示す概略図である。
【図９】実施形態の第２の変形例に係るマルチ投写システムを示す概略図である。
【発明を実施するための形態】
【００１２】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために、提供されるのであって、これらにより特許請求の範囲に記載の主題を限定することは意図されていない。
【００１４】
（実施形態）
［１−１］構成
図１は、実施形態に係るマルチ投写システムの第１の実施例を示す概略図である。図１のマルチ投写システムは、３つのプロジェクタ１０１ａ〜１０１ｃ、制御装置１０２、配信装置１０３、及び投写面１０４を含む。プロジェクタ１０１ａ〜１０１ｃは投写型映像表示装置の一例である。制御装置１０２は、プロジェクタ１０１ａ〜１０１ｃによって投写される各映像の輝度及び色度を制御する信号処理装置である。制御装置１０２は、汎用のパーソナルコンピュータであってもよく、マルチ画面表示用の特別な信号処理装置であってもよい。制御装置１０２は、ＲＳ２３２Ｃインターフェース又はＬＡＮ（Ｌｏｃａｌ  Ａｒｅａ  Ｎｅｔｗｏｒｋ）などの通信回線によってプロジェクタ１０１ａ〜１０１ｃに接続されている。配信装置１０３は、プロジェクタ１０１ａ〜１０１ｃに映像信号を配信する。配信装置１０３は、ＨＤＭＩ（登録商標）、ＳＤＩ（Serial Digital Interface）、ＨＤ−ｂａｓｅＴ、ＬＡＮなどの通信回線によってプロジェクタ１０１ａ〜１０１ｃに接続されている。投写面１０４は、投写された映像を表示する投写対象物の面である。投写面１０４は、専用の投写スクリーンであってもよく、建物の壁面であってもよい。
【００１５】
図１に示すように、投写面１０４は、プロジェクタ１０１ａ〜１０１ｃから距離ｄ１を有して配置されている。プロジェクタ１０１ａ〜１０１ｃは、投写面１０４上で互いに異なるサイズの投写範囲１１０ａ〜１１０ｃをそれぞれ有する。投写範囲１１０ａ〜１１０ｃ内に、各プロジェクタ１０１ａ〜１０１ｃによって投写された映像１１１ａ〜１１１ｃが含まれる。
【００１６】
図２は、実施形態に係るマルチ投写システムの第２の実施例を示す概略図である。図２のマルチ投写システムは、図１の単一の投写面１０４に代えて、プロジェクタ１０１ａ〜１０１ｃからの距離が異なる別個の投写面１０４ａ〜１０４ｃを含んでいる。図２に示すように、投写面１０４ａはプロジェクタ１０１ａから距離ｄ２ａを有して配置されている。投写面１０４ｂはプロジェクタ１０１ｂから距離ｄ２ｂを有して配置されている。投写面１０４ｃはプロジェクタ１０１ｃから距離ｄ２ｃを有して配置されている。プロジェクタ１０１ａ〜１０１ｃは、投写面１０４ａ〜１０４ｃまでの距離が異なることにより、投写面１０４ａ〜１０４ｃ上で互いに異なるサイズの投写範囲をそれぞれ有する。
【００１７】
図１及び図２に示すように、プロジェクタ１０１ａ〜１０１ｃの投写範囲のサイズが互いに異なる場合、複数の投写範囲にまたがる映像を表示する際に、投写範囲のつなぎ目において投写面上の照度に差が生じる。従って、投写範囲間で映像のつなぎ目を目立たなくすることが求められる。
【００１８】
図３は、図１のプロジェクタ１０１ａの構成を示すブロック図である。プロジェクタ１０１ａは、赤色光源２０１ａ、青色光源２０１ｂ、緑色光源２０１ｃ、赤色センサ２０２ａ、青色センサ２０２ｂ、緑色センサ２０２ｃ、Ａ／Ｄ変換器２０３ａ〜２０３ｃ、赤色光源駆動回路２０４ａ、青色光源駆動回路２０４ｂ、緑色光源駆動回路２０４ｃ、Ｄ／Ａ変換器２０５ａ〜２０５ｃ、制御部２０６、ＲＳ２３２Ｃインターフェース（ＩＦ）２０８、光合成部２０９、映像入力インターフェース（ＩＦ）２１０、信号処理部２１１、表示素子２１２、及び投写部２１３を備える。
【００１９】
赤色光源２０１ａ、青色光源２０１ｂ、及び緑色光源２０１ｃは、赤色、青色、緑色の光をそれぞれ発光するＬＥＤ等である。
【００２０】
赤色センサ２０２ａ、青色センサ２０２ｂ、及び緑色センサ２０２ｃは、赤色光源２０１ａ、青色光源２０１ｂ、及び緑色光源２０１ｃによって発生された光の強度及び色度をそれぞれ測定する。
【００２１】
Ａ／Ｄ変換器２０３ａ〜２０３ｃは、赤色センサ２０２ａ、青色センサ２０２ｂ、及び緑色センサ２０２ｃの測定値をディジタル値に変換して制御部２０６に送る。
【００２２】
制御部２０６は、赤色光源駆動回路２０４ａ、青色光源駆動回路２０４ｂ、及び緑色光源駆動回路２０４ｃにより赤色光源２０１ａ、青色光源２０１ｂ、及び緑色光源２０１ｃを動作させるための制御信号（ディジタル制御信号）を生成するマイクロコンピュータである。
【００２３】
Ｄ／Ａ変換器２０５ａ〜２０５ｃは、制御部２０６からのディジタル制御信号をアナログ制御信号に変換して、赤色光源駆動回路２０４ａ、青色光源駆動回路２０４ｂ、及び緑色光源駆動回路２０４ｃにそれぞれ送る。
【００２４】
赤色光源駆動回路２０４ａ、青色光源駆動回路２０４ｂ、及び緑色光源駆動回路２０４ｃは、光源２０１ａ〜２０１ｃを可変な強度で動作させる調整可能な駆動回路である。赤色光源駆動回路２０４ａ、青色光源駆動回路２０４ｂ、及び緑色光源駆動回路２０４ｃは、制御部２０６からの制御信号に従って、赤色光源２０１ａ、青色光源２０１ｂ、及び緑色光源２０１ｃを動作させる駆動電流を各光源へ供給する。
【００２５】
ＲＳ２３２Ｃインターフェース（ＩＦ）２０８は、制御部２０６を制御装置１０２に通信可能に接続する。
【００２６】
光合成部２０９は、赤色光源２０１ａ、青色光源２０１ｂ、及び緑色光源２０１ｃによって発生された３色の光を合成する。
【００２７】
映像入力インターフェース（ＩＦ）２１０は、配信装置１０３に通信可能に接続され、映像信号を受信する。
【００２８】
信号処理部２１１は、映像入力インターフェース２１０に入力された映像信号の映像に対して拡大又は縮小などの信号処理を行う。例えば、１つの映像を３つのプロジェクタ１０１ａ〜１０１ｃに分割して表示する場合、信号処理部２１１は、プロジェクタ１０１ａが表示する映像部分を、プロジェクタ１０１ａの投写範囲に合わせて３倍に拡大する。
【００２９】
表示素子２１２は、ＤＭＤ（Ｄｉｇｉｔａｌ  Ｍｉｃｒｏ  Ｍｉｒｒｏｒ  Ｄｅｖｉｃｅ）等から構成され、光合成部２０９から送られた各色の光を、信号処理部２１１で処理された映像信号で変調する。
【００３０】
投写部２１３は、図１の投写面１０４へ映像（変調された光）を投写する。
【００３１】
他のプロジェクタ１０１ｂ及び１０１ｃもまた、プロジェクタ１０１ａと同様に構成される。
【００３２】
図４は、図１の制御装置１０２の構成を示すブロック図である。制御装置１０２は、ＲＳ２３２Ｃインターフェース（ＩＦ）３０１ａ〜３０１ｃ、制御部３０２、及び入力部３０３を備える。
【００３３】
ＲＳ２３２Ｃインターフェース（ＩＦ）３０１ａ〜３０１ｃは、制御部３０２をプロジェクタ１０１ａ〜１０１ｃに通信可能に接続する。
【００３４】
制御部３０２は、プロジェクタ１０１ａ〜１０１ｃによって投写される各映像の輝度が互いに一致するように、各プロジェクタ１０１ａ〜１０１ｃの各光源２０１ａ〜２０１ｃによって発生される光の強度を決定するマイクロコンピュータである。
【００３５】
入力部３０３は、マルチ投写システムの投写環境を示すユーザ入力を受けて制御部３０２に設定する。
【００３６】
［１−２］動作
次に、図５を参照して、プロジェクタ１０１ａ〜１０１ｃの動作について説明する。
【００３７】
図５は、図１のマルチ投写システムにおける各光源の発光強度と映像信号との関係を説明するタイミングチャートである。図５は、赤色光源２０１ａ、青色光源２０１ｂ、緑色光源２０１ｃの発光強度と、表示素子２１２へ入力される映像信号との関係を示す。
【００３８】
図３のプロジェクタ１０１ａの表示素子２１２において、赤色、青色、緑色の３色の光の変調は、順次、時分割で行われる。すなわち、図５に示すように、赤色の映像信号が表示素子２１２に入力されているときには、光合成部２０９から主に赤色の光が表示素子２１２に供給されるようになっている。青色及び緑色の光の変調についても同様である。
【００３９】
このように、表示素子２１２は、赤色、青色、緑色の各映像信号によって、それぞれに対応した色の光を順次に時分割で変調する。この時分割の速度を十分速くすれば、人間の網膜の残像現象のため、人間にはカラーの動画が認識されることとなる。ところで、図５に示すように、赤色の映像信号が入力されている場合でも、赤色光源２０１ａのみでなく、青色光源２０１ｂ、及び緑色光源２０１ｃも合わせて発光させている。これは、複数のプロジェクタ間で色度が異なる場合に、他の色の光源も同時に発光させて光源の色度を等価的に変化させることにより、プロジェクタの色度を調整するためである。
【００４０】
表示素子２１２に赤色の映像信号が入力されているとき、赤色光源２０１ａの強度はＹｒｒであり、青色光源２０１ｂの強度はＹｂｒであり、緑色光源２０１ｃの強度はＹｇｒである。同様に、表示素子２１２に青色の映像信号が入力されているとき、赤色光源２０１ａの強度はＹｒｂであり、青色光源２０１ｂの強度はＹｂｂであり、緑色光源２０１ｃの強度はＹｇｂである。また同様に、表示素子２１２に緑色の映像信号が入力されているとき、赤色光源２０１ａの強度はＹｒｇであり、青色光源２０１ｂの強度はＹｂｇであり、緑色光源２０１ｃの強度はＹｇｇである。プロジェクタ１０１ａによって投写される映像の輝度及び色度は、上記９つの光源の強度値を制御することにより、自由に調整することが可能となる。
【００４１】
次に、図６を参照して、プロジェクタ１０１ａ〜１０１ｃによって投写される各映像の輝度及び色度の具体的な調整方法について説明する。説明を簡略化するために、２つのプロジェクタ１０１ａ及び１０１ｂの調整を例に説明する。
【００４２】
図６は、図１のマルチ投写システムにおける２つのプロジェクタ１０１ａ及び１０１ｂの設置時の色度と目標の色度とを示すｘｙ色度図である。例えば、プロジェクタ１０１ａの赤色光源２０１ａ、青色光源２０１ｂ、緑色光源２０１ｃ（ＬＥＤ）の色度をＲ１、Ｂ１、Ｇ１の位置で表し、プロジェクタ１０１ｂの赤色光源２０１ａ、青色光源２０１ｂ、緑色光源２０１ｃ（ＬＥＤ）の色度をＲ２、Ｂ２、Ｇ２の位置で表す。図６に示すように、２つのプロジェクタ１０１ａ及び１０１ｂによって表示される映像間で色度のばらつきがあるとする。輝度の調整をせずにプロジェクタ１０１ａ及び１０１ｂを並べると、同じ映像を表示しても色が異なって見えるので、２つのプロジェクタの映像間でつなぎ目がわかる。
【００４３】
ところで、プロジェクタ１０１ａは、３色の光源の光の混合比を変えることでＲ１、Ｂ１、Ｇ１を頂点とする三角形の内側の色度を表示することができる。同様に、プロジェクタ１０１ｂもまた、Ｒ２、Ｂ２、Ｇ２を頂点とする三角形の内側の色度を表示することができる。したがって、例えば図６のＲ、Ｇ、Ｂの色度を３原色に用いて、この３点を頂点とする３角形の内側の色であれば、いずれのプロジェクタ１０１ａ及び１０１ｂでも表示することができる。
【００４４】
次に、図７を参照して、図１のマルチ投写システムの動作について説明する。
【００４５】
図７は、図１のマルチ投写システムの動作を示すフローチャートである。図７のフローチャートは、制御装置１０２が２つのプロジェクタ１０１ａ及び１０１ｂによって投写される各映像間で輝度及び色度をどのように合わせるかを説明する。
【００４６】
まず、プロジェクタ１０１ａ及び１０１ｂの光源２０１ａ〜２０１ｃの色度が、プロジェクタ１０１ａ及び１０１ｂ間で互いに一致している場合について説明する。
【００４７】
制御装置１０２は、ステップＳ１において、入力部３０３によりユーザ入力を受けて、プロジェクタ１０１ａ及び１０１ｂの投写環境を設定する。プロジェクタ１０１ａ及び１０１ｂの投写環境は、プロジェクタの投写面積、プロジェクタから投写面までの距離、などのパラメータを含む。
【００４８】
異なる投写面積を有する複数のプロジェクタの映像のつなぎ目を目立たなくするためには、それぞれの投写している投写面上の照度を合わせる必要がある。同じ明るさ（光束）のプロジェクタであれば、投写面上の照度はその投写面積に反比例する。そのため、投写面積と、プロジェクタ１０１ａ及び１０１ｂの光源２０１ａ〜２０１ｃの光の強度とに基づいて、投写面上の照度が揃うように調整する。
【００４９】
投写対象物が専用の投写スクリーンではなく建物の壁面などである場合、投写面積を測定するのは困難である。従って、この場合、プロジェクタのスローレシオ（投写距離／投写横幅）及びアスペクト比と、プロジェクタから投写対象物までの投写距離とに基づいて、投写面積を計算してもよい。この場合、これらのパラメータが投写環境として設定される。
【００５０】
次に、制御装置１０２は、ステップＳ２において、プロジェクタ１０１ａ及び１０１ｂの光源２０１ａ〜２０１ｃによって発生される光の強度を問い合わせる問い合わせ信号を、プロジェクタ１０１ａ及び１０１ｂに送信する。
【００５１】
プロジェクタ１０１ａ及び１０１ｂは、ステップＳ１１ａ，Ｓ１１ｂにおいて、制御装置１０２からの問い合わせ信号をそれぞれ受信する。プロジェクタ１０１ａ及び１０１ｂは、ステップＳ１２ａ，Ｓ１２ｂにおいて、予め決められたテスト信号に応じて、光源２０１ａ〜２０１ｃによって発生される光の強度をセンサ２０２ａ〜２０２ｃにより測定する。テスト信号は、例えば、予め決められた輝度値を表す映像信号である。プロジェクタ１０１ａ及び１０１ｂは、ステップＳ１３ａ，Ｓ１３ｂにおいて、光の強度の測定値を含む応答信号を制御装置１０２に送信する。
【００５２】
プロジェクタ１０１ａ及び１０１ｂは、それらの光源２０１ａ〜２０１ｃによって発生される光の強度を、制御装置１０２から問い合わせ信号を受信したときに測定してもよく、プロジェクタの電源をオンした後、一定間隔で繰り返して測定してもよい。
【００５３】
次に、制御装置１０２は、ステップＳ３において、プロジェクタ１０１ａ及び１０１ｂから応答された光の強度の測定値を受信する。制御装置１０２は、プロジェクタ１０１ａ及び１０１ｂによって投写される各映像の輝度が互いに一致するように、各プロジェクタ１０１ａ及び１０１ｂの各光源２０１ａ〜２０１ｃによって発生される光の強度を決定する。このため、制御装置１０２は、ステップＳ４において、プロジェクタ１０１ａ及び１０１ｂのそれぞれについて、ステップＳ３で受信された光の強度の測定値を、ステップＳ１で設定した投写面積で除算し、この商を、映像の輝度の推定値として算出する。制御装置１０２は、ステップＳ５において、プロジェクタ１０１ａ及び１０１ｂによって投写される各映像の輝度の推定値が互いに一致しているか否かを判断し、ＹＥＳのときは処理を終了し、ＮＯのときはステップＳ６に進む。
【００５４】
プロジェクタ１０１ａ及び１０１ｂによって投写される各映像の輝度の推定値が不一致である場合、制御装置１０２は、これらの推定値が互いに一致するように、プロジェクタ１０１ａ及び１０１ｂの各光源２０１ａ〜２０１ｃによって発生される光の強度の設定値を決定する。制御装置１０２は、例えば、これらの推定値が推定値のうちの最低値に一致するように、プロジェクタ１０１ａ及び１０１ｂの各光源２０１ａ〜２０１ｃによって発生される光の強度の設定値を決定する。制御装置１０２は、ステップＳ６において、光源２０１ａ〜２０１ｃによって発生される光の強度の設定値をプロジェクタ１０１ａ及び１０１ｂに送信する。
【００５５】
プロジェクタ１０１ａ及び１０１ｂは、ステップＳ１４ａ，Ｓ１４ｂにおいて、制御装置１０２から光の強度の設定値をそれぞれ受信する。プロジェクタ１０１ａ及び１０１ｂは、ステップＳ１５ａ，Ｓ１５ｂにおいて、制御装置１０２によって決定された強度の光を発生させるように駆動回路２０４ａ〜２０４ｃを動作させ、光源２０１ａ〜２０１ｃの光の強度を設定する。
【００５６】
ステップＳ６の後、制御装置１０２はステップＳ２に戻り、プロジェクタ１０１ａ及び１０１ｂによって投写される各映像の輝度の推定値が互いに一致するまで、処理を繰り返す。
【００５７】
制御装置１０２は、映像の輝度の推定値の差が所定範囲内にあるうちは、映像の輝度の推定値の差が一致していると判断してもよい。これにより、光源の光の強度のわずかな変化によって調整回数が増加し、調整時間が増大することを防止することができる。
【００５８】
図７の処理により、プロジェクタ１０１ａ及び１０１ｂによって投写される各映像の輝度と同様に、プロジェクタ１０１ａ及び１０１ｂによって投写される各映像の色度を互いに一致させることもできる。制御装置１０２は、赤、青、及び緑のそれぞれについて個別に、プロジェクタ１０１ａ及び１０１ｂによって投写される各映像の輝度が互いに一致するように、各プロジェクタ１０１ａ及び１０１ｂの各光源２０１ａ〜２０１ｃによって発生される光の強度を決定する。プロジェクタ１０１ａ及び１０１ｂによって投写される各映像の白色光の色度を互いに一致させる場合には、制御装置１０２は、プロジェクタ１０１ａ及び１０１ｂによって投写される各映像の輝度が互いに一致するように、各プロジェクタ１０１ａ及び１０１ｂの複数の光源２０１ａ〜２０１ｃを同時に発光させて発生される光の強度を決定する。
【００５９】
次に、プロジェクタ１０１ａ及び１０１ｂの光源２０１ａ〜２０１ｃの色度が、プロジェクタ１０１ａ及び１０１ｂ間で不一致している場合について説明する。
【００６０】
これまでは、光源の光の強度のみが異なる場合について説明したが、光源の光の色度が異なる場合でも同様に調整できる。この場合、図６のｘｙ色度図上において、プロジェクタ１０１ａ及び１０１ｂの各光源２０１ａ〜２０１ｃ自体の色度が異なる座標にある。
【００６１】
プロジェクタ１０１ａ及び１０１ｂは、ステップＳ１２ａ，１２ｂにおいて、予め決められたテスト信号に応じて光源２０１ａ〜２０１ｃによって発生される光の強度及び色度をセンサ２０２ａ〜２０２ｃにより測定する。プロジェクタ１０１ａ及び１０１ｂは、ステップＳ１３ａ，１３ｂにおいて、光の強度及び色度の測定値を制御装置１０２に送信し、制御装置１０２は、ステップＳ３において、光の強度及び色度の測定値を受信する。制御装置１０２は、ステップＳ４において、輝度及び色度の推定値を算出する。制御装置１０２は、ステップＳ６において、プロジェクタ１０１ａ及び１０１ｂによって投写される各映像の輝度及び色度が互いに一致するように、各プロジェクタ１０１ａ及び１０１ｂの各光源２０１ａ〜２０１ｃによって発生される光の強度を決定する。これにより、図５に示す各光源の９つの設定値（目標値）Ｙｒｒ〜Ｙｇｇが決まる。制御装置１０２は、このように決定された光の強度の設定値をプロジェクタ１０１ａ及び１０１ｂに送信し、プロジェクタ１０１ａ及び１０１ｂは、ステップＳ１４ａ，１４ｂにおいて、光の強度の設定値をそれぞれ受信する。プロジェクタ１０１ａ及び１０１ｂは、ステップＳ１５ａ，１５ｂにおいて、制御装置１０２によって決定された強度の光を発生させるように、駆動回路２０４ａ〜２０４ｃをそれぞれ動作させる。
【００６２】
以上の説明では、２つのプロジェクタ１０１ａ及び１０１ｂの光源の光の強度を調整する場合について説明したが、３つ以上のプロジェクタの光源の光の強度を調整する場合も同様に実施可能である。
【００６３】
以上、本実施形態に係るマルチ投写システムによれば、複数のプロジェクタの投写面積、投写面までの距離、光源の光の強度及び色度が異なっていても、すべてのプロジェクタの投写面上の照度を迅速に調整して一致させることができる。従って、それぞれのプロジェクタの映像間でつなぎ目を目立たないようにすることができる。
【００６４】
［１−３］変形例
図８は、実施形態の第１の変形例に係るマルチ投写システムを示す概略図である。図８のマルチ投写システムは、図１のプロジェクタ１０１ｃ及び制御装置１０２に代えて、制御装置が一体化されたプロジェクタ１０１Ａを含む。また、制御装置は、複数のプロジェクタのすべてに組み込まれてもよく、この場合、組み込まれた複数の制御装置のうちの１つのみを使用してもよい。これにより、マルチ投写システムを容易に構成することができる。
【００６５】
図９は、実施形態の第２の変形例に係るマルチ投写システムを示す概略図である。図９のマルチ投写システムは、図１の制御装置１０２及び配信装置１０３に代えて、制御装置が一体化された配信装置１０３Ａを含む。これにより、マルチ投写システムを容易に構成することができる。
【００６６】
［１−４］効果
実施形態に係る投写型映像表示装置によれば、少なくとも１つの投写面１０４に映像を投写する複数のプロジェクタ１０１ａ〜１０１ｃを含むマルチ投写システムのためのプロジェクタ１０１ａ〜１０１ｃが提供される。各プロジェクタ１０１ａ〜１０１ｃは、少なくとも１つの光源２０１ａ〜２０１ｃと、少なくとも１つの光源２０１ａ〜２０１ｃによって発生される光の強度を測定する少なくとも１つのセンサ２０２ａ〜２０２ｃと、少なくとも１つの光源２０１ａ〜２０１ｃを可変な強度で動作させる調整可能な少なくとも１つの駆動回路２０４ａ〜２０４ｃと、外部の制御装置１０２と通信可能に接続された制御部２０６とを備える。制御部２０６は、予め決められたテスト信号に応じて少なくとも１つの光源２０１ａ〜２０１ｃによって発生される光の強度を少なくとも１つのセンサ２０２ａ〜２０２ｃにより測定し、光の強度の測定値を制御装置１０２に送信する。制御部２０６は、複数のプロジェクタ１０１ａ〜１０１ｃによって投写される各映像の輝度が互いに一致するように制御装置１０２によって決定された光の強度の設定値を制御装置１０２から受信する。制御部２０６は、制御装置１０２によって決定された強度の光を発生させるように、少なくとも１つの駆動回路２０４ａ〜２０４ｃを動作させる。
【００６７】
これにより、複数の投写型映像表示装置を組み合わせてマルチ投写システムを構成する場合、各投写型映像表示装置によって投写される映像間でつなぎ目が目立たなくなるように各投写型映像表示装置を調整することができる。従って、ユーザの操作上の負担を軽減しつつ、投写面積がそれぞれ異なる複数の投写型映像表示装置に適切な映像光を投写させるために有効な投写型映像表示装置を提供することができる。
【００６８】
実施形態に係る投写型映像表示装置によれば、少なくとも１つのセンサ２０２ａ〜２０２ｃは、少なくとも１つの光源２０１ａ〜２０１ｃによって発生される光の色度をさらに測定する。制御部２０６は、予め決められたテスト信号に応じて少なくとも１つの光源２０１ａ〜２０１ｃによって発生される光の強度及び色度を少なくとも１つのセンサ２０２ａ〜２０２ｃにより測定し、光の強度及び色度の測定値を制御装置１０２に送信する。制御部２０６は、複数のプロジェクタ１０１ａ〜１０１ｃによって投写される各映像の輝度及び色度が互いに一致するように制御装置１０２によって決定された光の強度の設定値を制御装置１０２から受信する。制御部２０６は、制御装置１０２によって決定された強度の光を発生させるように、少なくとも１つの駆動回路２０４ａ〜２０４ｃを動作させる。
【００６９】
これにより、複数の投写型映像表示装置の光源の色度が投写型映像表示装置間で不一致している場合であっても、各投写型映像表示装置によって投写される映像間でつなぎ目が目立たなくなるように各投写型映像表示装置を調整することができる。
【００７０】
実施形態に係る制御装置によれば、少なくとも１つの投写面１０４に映像を投写する複数のプロジェクタ１０１ａ〜１０１ｃを含むマルチ投写システムのための制御装置１０２が提供される。複数のプロジェクタ１０１ａ〜１０１ｃのうちの各１つのプロジェクタ１０１ａ〜１０１ｃは、少なくとも１つの光源２０１ａ〜２０１ｃと、少なくとも１つの光源２０１ａ〜２０１ｃによって発生される光の強度を測定する少なくとも１つのセンサ２０２ａ〜２０２ｃと、少なくとも１つの光源２０１ａ〜２０１ｃを可変な強度で動作させる調整可能な少なくとも１つの駆動回路２０４ａ〜２０４ｃとを備える。制御装置１０２は、複数のプロジェクタ１０１ａ〜１０１ｃに通信可能に接続される。制御装置１０２は、複数のプロジェクタ１０１ａ〜１０１ｃから、予め決められたテスト信号に応じて少なくとも１つの光源２０１ａ〜２０１ｃによって発生される光の強度の測定値をそれぞれ受信する。制御装置１０２は、複数のプロジェクタ１０１ａ〜１０１ｃによって投写される各映像の輝度が互いに一致するように、各プロジェクタ１０１ａ〜１０１ｃの各光源２０１ａ〜２０１ｃによって発生される光の強度を決定する。制御装置１０２は、決定された光の強度の設定値を複数のプロジェクタ１０１ａ〜１０１ｃに送信する。
【００７１】
これにより、複数の投写型映像表示装置を組み合わせてマルチ投写システムを構成する場合、各投写型映像表示装置によって投写される映像間でつなぎ目が目立たなくなるように各投写型映像表示装置を調整することができる。従って、ユーザの操作上の負担を軽減しつつ、投写面積がそれぞれ異なる複数の投写型映像表示装置に適切な映像光を投写させるために有効な制御装置を提供することができる。
【００７２】
実施形態に係る制御装置によれば、制御装置１０２は、複数のプロジェクタ１０１ａ〜１０１ｃのうちの各１つのプロジェクタ１０１ａ〜１０１ｃについて、当該１つのプロジェクタ１０１ａ〜１０１ｃの投写面積に対する当該１つのプロジェクタ１０１ａ〜１０１ｃの光の強度の測定値の比に基づいて、当該１つのプロジェクタ１０１ａ〜１０１ｃによって投写される各映像の輝度の推定値を計算する。制御装置１０２は、複数のプロジェクタ１０１ａ〜１０１ｃによって投写される各映像の輝度の推定値が互いに一致するように、各プロジェクタ１０１ａ〜１０１ｃの各光源２０１ａ〜２０１ｃによって発生される光の強度を決定する。
【００７３】
実施形態に係る制御装置によれば、制御装置１０２は、複数のプロジェクタ１０１ａ〜１０１ｃによって投写される各映像の輝度の推定値が複数のプロジェクタ１０１ａ〜１０１ｃの推定値のうちの最低値に一致するように、各プロジェクタ１０１ａ〜１０１ｃの各光源２０１ａ〜２０１ｃによって発生される光の強度を決定する。
【００７４】
実施形態に係る制御装置によれば、複数のプロジェクタ１０１ａ〜１０１ｃのうちの各１つのプロジェクタ１０１ａ〜１０１ｃは、互いに異なる色の光をそれぞれ発生する複数の光源２０１ａ〜２０１ｃと、複数の光源２０１ａ〜２０１ｃによって発生される光の強度を測定する複数のセンサ２０２ａ〜２０２ｃと、複数の光源２０１ａ〜２０１ｃを可変な強度で動作させる調整可能な複数の駆動回路２０４ａ〜２０４ｃとを備える。制御装置１０２は、互いに異なる色のそれぞれについて個別に、複数のプロジェクタ１０１ａ〜１０１ｃによって投写される各映像の輝度が互いに一致するように、各プロジェクタ１０１ａ〜１０１ｃの各光源２０１ａ〜２０１ｃによって発生される光の強度を決定する。
【００７５】
これにより、投写型映像表示装置によって投写される各映像の輝度と同様に、投写型映像表示装置によって投写される各映像の色度を互いに一致させることができる。
【００７６】
実施形態に係る制御装置によれば、制御装置１０２は、複数のプロジェクタ１０１ａ〜１０１ｃによって投写される各映像の輝度が互いに一致するように、各プロジェクタ１０１ａ〜１０１ｃの複数の光源２０１ａ〜２０１ｃを同時に発光させて発生される光の強度を決定する。
【００７７】
これにより、投写型映像表示装置によって投写される各映像の白色光の色度を互いに一致させることができる。
【００７８】
実施形態に係る制御装置によれば、複数のプロジェクタ１０１ａ〜１０１ｃのうちの各１つのプロジェクタ１０１ａ〜１０１ｃにおいて、少なくとも１つのセンサ２０２ａ〜２０２ｃは、少なくとも１つの光源２０１ａ〜２０１ｃによって発生される光の色度をさらに測定する。制御装置１０２は、複数のプロジェクタ１０１ａ〜１０１ｃから、予め決められたテスト信号に応じて少なくとも１つの光源２０１ａ〜２０１ｃによって発生される光の強度及び色度の測定値をそれぞれ受信する。制御装置１０２は、複数のプロジェクタ１０１ａ〜１０１ｃによって投写される各映像の輝度及び色度が互いに一致するように、各プロジェクタ１０１ａ〜１０１ｃの各光源２０１ａ〜２０１ｃによって発生される光の強度を決定する。制御装置１０２は、決定された光の強度の設定値を複数のプロジェクタ１０１ａ〜１０１ｃに送信する。
【００７９】
これにより、複数の投写型映像表示装置の光源の色度が投写型映像表示装置間で不一致している場合であっても、各投写型映像表示装置によって投写される映像間でつなぎ目が目立たなくなるように各投写型映像表示装置を調整することができる。
【００８０】
実施形態に係るマルチ投写システムによれば、複数のプロジェクタ１０１ａ〜１０１ｃと、制御装置１０２とを含む。
【００８１】
これにより、操作負担を軽減しつつ、複数の表示画面における輝度及び色度を一致させて全体として一体感のある映像表示を実現することができる。
【００８２】
実施形態に係るマルチ投写システムによれば、制御装置１０２は、複数のプロジェクタ１０１ａ〜１０１ｃのうちの１つに一体化されている。
【００８３】
これにより、マルチ投写システムを容易に構成することができる。
【００８４】
（他の実施形態）
以上のように、本出願において開示する技術の例示として、実施形態を説明した。しかしながら、本開示における技術は、これに限定されず、適宜、変更、置き換え、付加、省略などを行った実施形態にも適用可能である。また、上記実施形態で説明した各構成要素を組み合わせて、新たな実施形態とすることも可能である。
【００８５】
本開示の内容が、上記実施形態に示された具体例に限定されないことはもちろんであり、たとえば以下のような変形例が考えられる。
【００８６】
（１）上記の実施形態では、それぞれの光源の強度を個別に測定する場合を説明したが、光合成後に光を測定してもよい。このようにすることにより、光合成部の透過率等も含んだより実際に近い各色の光の強度および色度を測定できる。
【００８７】
（２）上記の実施形態では、図７のステップＳ４で算出する推定値を推定値のうちの最低値に一致させるように、複数の投写型映像表示装置の各光源によって発生される光の強度の設定値を決定した。それに代わって、推定値の大小によらず、ユーザが指定する投写型映像表示装置の推定値に一致させるように、複数の投写型映像表示装置の各光源によって発生される光の強度の設定値を決定してもよい。この場合、ある投写型映像表示装置の光源の強度を最大にしても目標の推定値に到達しない可能性がある。この場合、目標とした投写型映像表示装置の赤、青、緑の光源の強度の比を一定の割合で低下させることにより色度の変化を最小限に抑えながら輝度を低下させ、そこに他の投写型映像表示装置によって投写される映像の輝度及び色度を合わせてもよい。
【００８８】
（３）上記の実施形態では、３個の光源の発光色が異なる場合について説明したが、光を発生させる装置が複数個である必要はなく、複数の異なる色の光の強度を独立して変化させることができればよい。例えば、投写型映像表示装置は、白色光源と、分光器と、赤、青、緑の各色について電圧制御可能な透過率を有するフィルタとを備え、白色光源からの白色光を分光器により赤、青、緑の各色の光に分離してフィルタを通過させ、その後、これらの光を合成してもよい。
【００８９】
（４）上記の実施形態では、映像の輝度及び色度の推定値が互いに一致すれば処理を終了するとしたが、所定の時間毎に自動的に光源の強度を調整し、光源の長期使用に伴う輝度低下、又は、温度変化による発光特性変化に伴うずれを修正してもよい。
【００９０】
（５）ここでは、プロジェクタと制御装置を接続するインターフェースとして、ＲＳ２３２Ｃインターフェースを用いた例について説明したが、ＵＳＢ（Ｕｎｉｖｅｒｓａｌ  Ｓｅｒｉａｌ  Ｉｎｔｅｒｆａｃｅ）、有線ＬＡＮ、又は無線ＬＡＮでもよく、これらに限るものではない。
【００９１】
（６）実施形態では、３つのプロジェクタを含むマルチ投写システムについて説明したが、マルチ投写システムは２つ又は４つ以上のプロジェクタを含んでもよい。
【００９２】
以上のように、本開示における技術の例示として、実施形態を説明した。そのために、添付図面及び詳細な説明を提供した。
【００９３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９４】
また、上述の実施形態は、本開示における技術を例示するためのものであるから、特許請求の範囲またはその均等の範囲において種々の変更、置き換え、付加、省略などを行うことができる。
【産業上の利用可能性】
【００９５】
本開示は、複数の映像表示装置を用いて大画面で表示する際に、つなぎ目を目立たさずに表示するマルチ投写システムを実現できるものである。
【符号の説明】
【００９６】
１０１ａ，１０１ｂ，１０１ｃ…プロジェクタ、
１０２…制御装置、
１０３…配信装置、
１０４，１０４ａ〜１０４ｃ…投写面、
２０１ａ…赤色光源、
２０１ｂ…青色光源、
２０１ｃ…緑色光源、
２０２ａ…赤色センサ、
２０２ｂ…青色センサ、
２０２ｃ…緑色センサ、
２０３ａ〜２０３ｃ…Ａ／Ｄ変換器、
２０４ａ…赤色光源駆動回路、
２０４ｂ…青色光源駆動回路、
２０４ｃ…緑色光源駆動回路、
２０５ａ〜２０５ｃ…Ｄ／Ａ変換器、
２０６…制御部、
２０８…ＲＳ２３２Ｃインターフェース（ＩＦ）、
２０９…光合成部、
２１０…映像入力インターフェース（ＩＦ）、
２１１…信号処理部、
２１２…表示素子、
２１３…投写部、
３０１ａ〜３０１ｃ…ＲＳ２３２Ｃインターフェース（ＩＦ）、
３０２…制御部、
３０３…入力部。
【図１】
2019215383.tif 000003
【図２】
2019215383.tif 000004
【図３】
2019215383.tif 000005
【図４】
2019215383.tif 000006
【図５】
2019215383.tif 000007
【図６】
2019215383.tif 000008
【図７】
2019215383.tif 000009
【図８】
2019215383.tif 000010
【図９】
2019215383.tif 000011